(57)【要約】【課題】  像ぶれ補正機構を搭載する光学機器の小型化を図る。【解決手段】  像ぶれ補正ユニットを組み立てた状態において、光軸ＯＰ方向から見たとき、縦方向ガイド軸４１、４２をＣＣＤ固定板１１の側辺部１１Ｒ、１１Ｌと重なり合う位置に配置する。光軸ＯＰ方向から見たとき、縦方向ガイド軸４１、４２は、ＣＣＤ固定板１１の側辺部１１Ｒ、１１Ｌの外縁部と枠２１の外周面との間に位置する。縦方向ガイド軸４１、４２の直径は、枠２１の光軸ＯＰに沿った厚みよりも短く、光軸ＯＰに直交する横方向から見たとき、枠２１に重なり合うよう縦方向ガイド軸４１、４２を配置する。【選択図】        図６
2006098501.tif 000002
【特許請求の範囲】
【請求項１】
光学機器の撮像系の一部を構成する光学要素を前記光学機器の光軸に垂直な面において交差する２つの方向に駆動することにより、前記光学機器の像ぶれを補正する像ぶれ補正機構において、
前記２つの方向のうちの少なくとも１つの方向に沿った前記光学要素の駆動における案内手段が、前記光軸方向から見て、前記光学要素を保持する保持手段と重なり合うよう配置されることを特徴とする像ぶれ補正機構。
【請求項２】
前記案内手段は、前記光軸に直交する方向から見たとき、前記保持手段と重なり合うよう配置されることを特徴とする請求項１に記載の像ぶれ補正機構。
【請求項３】
前記光学要素は固体撮像素子であり、
前記保持手段は、前記固体撮像素子を固定する固定板と、前記固定板に固定された前記固体撮像素子が嵌合する枠部材とを有し、
前記案内手段は、前記保持手段を前記光学機器の通常の保持姿勢における縦方向に駆動するときのガイド軸であることを特徴とする請求項１または２に記載の像ぶれ補正機構。
【請求項４】
前記ガイド軸は、前記光軸方向から見て、前記固定板の外縁部と前記枠部材の外周面との間に配置されることを特徴とする請求項３に記載の像ぶれ補正機構。
【請求項５】
前記保持手段は、前記固体撮像素子を駆動するための駆動手段の駆動力を前記固体撮像素子に伝達するための、前記光軸に沿って所定の厚みを有する枠状の中間部材を有し、
前記枠部材は前記中間部材の開口部内に位置づけられ、
前記ガイド軸は前記枠部材の外周面に対向し、かつ前記中間部材の前記開口部の内周面に対向するよう配置され、
前記中間部材の前記厚みは、前記枠部材の前記光軸に沿った寸法よりも短いことを特徴とする請求項３または４に記載の像ぶれ補正機構。
【請求項６】
前記ガイド軸の前記光軸に沿った寸法は、前記枠部材の前記光軸に沿った寸法よりも短いことを特徴とする請求項５に記載の像ぶれ補正機構。
【発明の詳細な説明】
【技術分野】
【０００１】
本発明は、カメラや双眼鏡等の光学機器に設けられる像ぶれ補正機構に関する。
【背景技術】
【０００２】
従来、カメラや双眼鏡等の光学機器には、手ぶれ等に起因する像ぶれを補正する像ぶれ補正機構を搭載したものがある。像ぶれ補正機構には、撮像光学系の一部を構成する補正光学系を撮像光学系の光軸に垂直な面に沿って駆動するタイプのものや、デジタルカメラの場合、固体撮像素子を撮像光学系の光軸に垂直な面に沿って駆動するタイプのものが知られている。
【特許文献１】特開２０００−２５８８１３号公報
【発明の開示】
【発明が解決しようとする課題】
【０００３】
ところが、補正光学系や固体撮像素子のアクチュエータや、これらの光学要素の移動を案内するガイド部材は、撮像光学系に導かれる光束を遮断することがないよう、補正光学系や固体撮像素子の周辺に配設される。その結果、像ぶれ補正機構を搭載しない場合に比べ、光学機器全体が大型化するという問題があった。
【０００４】
本発明は、以上の問題を解決するものであり、像ぶれ補正機構を備える光学機器の小型化を目的とする。
【課題を解決するための手段】
【０００５】
本発明に係る像ぶれ補正機構は、光学機器の撮像系の一部を構成する光学要素を光学機器の光軸に垂直な面において交差する２つの方向に駆動することにより、光学機器の像ぶれを補正する像ぶれ補正機構において、上述の２つの方向のうちの少なくとも１つの方向に沿った光学要素の駆動における案内手段が、光軸方向から見て、光学要素を保持する保持手段と重なり合うよう配置されることを特徴とする。
【０００６】
好ましくは、案内手段は、光軸に直交する方向から見たとき、保持手段と重なり合うよう配置される。
【０００７】
光学要素は固体撮像素子であり、保持手段は、固体撮像素子を固定する固定板と、固定板に固定された固体撮像素子が嵌合する枠部材とを有し、案内手段は、保持手段を光学機器の通常の保持姿勢における縦方向に駆動するときのガイド軸であってもよい。この場合、ガイド軸は光軸方向から見て固定板の外縁部と枠部材の外周面との間に配置される。
【０００８】
また、保持手段は、固体撮像素子を駆動するための駆動手段の駆動力を固体撮像素子に伝達するための、光軸に沿って所定の厚みを有する枠状の中間部材を有し、枠部材は中間部材の開口部内に位置づけられ、ガイド軸は枠部材の外周面に対向し、かつ中間部材の開口部の内周面に対向するよう配置されてもよい。好ましくは、中間部材の厚みは、枠部材の光軸に沿った寸法よりも短い。より好ましくは、ガイド軸の光軸に沿った寸法は、枠部材の光軸に沿った寸法よりも短い。
【発明の効果】
【０００９】
本発明によれば、光学要素の駆動における案内手段が、光軸方向から見て、光学要素を保持する保持手段と重なり合うよう配置される。従って、光学要素の周辺が像ぶれ補正機構の構成部材により占有されることがなく、光学機器の小型化が図られる。
【００１０】
また、光軸に直交する方向から見たときも案内手段が保持手段と重なり合うよう配置する構成とすれば、光軸に沿ったスペースも節約することができる。従って、光学機器の小型化がより効果的に達成できる。
【発明を実施するための最良の形態】
【００１１】
図１は本発明に係る実施形態が適用される像ぶれ補正ユニットをレンズユニットの一部と共に示す分解斜視図である。像ぶれ補正ユニット１はデジタルカメラに搭載され、被写体像を取得するＣＣＤを駆動するタイプのものである。図１中、Ｘ方向はデジタルカメラの通常の保持姿勢における横方向（水平方向）、Ｙ方向は同保持姿勢における縦方向（垂直方向）であり、互いに直交する。像ぶれ補正ユニット１は、ＣＣＤ１０、ＣＣＤ固定板１１、ＣＣＤホルダ２０、中間ステージ３０、及びユニット親板４０を有する。レンズユニット２は、レンズ１００とレンズホルダ１０１とを有する。ＣＣＤ１０からレンズ１００へ向かって光軸ＯＰに沿って、ＣＣＤホルダ２０、中間ステージ３０、ユニット親板４０の順に配置される。
【００１２】
図２は、ＣＣＤ１０、ＣＣＤ固定板１１、ＣＣＤホルダ２０、及び中間ステージ３０を拡大して示す分解斜視図である。ＣＣＤ１０は全体として略矩形を呈し、横方向Ｘの辺に沿って端子ピンが配設された一般的な素子である。ＣＣＤ１０は略矩形のＣＣＤ固定板１１に固定される。ＣＣＤ１０の受光面側には、押えゴム１２に嵌め込まれたモアレ防止のためのローパスフィルタ１３が配設される。ＣＣＤ固定板１１の第１側辺部１１Ｒには一対の止めネジ１４が嵌合する。一対のネジ１４は縦方向Ｙに沿って配設される。
【００１３】
略矩形のＣＣＤホルダ２０の略中央には矩形の開口部２０Ｐが形成され、開口部２０Ｐを囲むように矩形の枠２１が配設される。枠２１は所定の厚みを有している。ＣＣＤホルダ２０の第１側辺部２０Ｒには、ＣＣＤ固定板１１の一対の止めネジ１４が嵌合するネジ穴２２が形成される。ＣＣＤホルダ２０の上辺部２０Ｕには横方向ガイド軸２３を支持する穴が形成された一対の支持部２４が設けられる。ＣＣＤホルダ２０の下辺部２０Ｂには横方向ガイド軸２５を支持する穴が形成された一対の支持部２６が設けられる。
【００１４】
図３は中間ステージ３０及びユニット親板４０を拡大して示す分解斜視図である。略矩形の枠部材である中間ステージ３０の上辺部３０Ｕには横方向ガイド軸２３（図２参照）を支持する穴が形成された一対の支持部３１が設けられる。一対の支持部３１の間の寸法ｈ２は、ＣＣＤホルダ２０の一対の支持部２４の間の寸法ｈ１（図２参照）よりも短い。中間ステージ３０の下辺部３０Ｂの略中央には横方向ガイド軸２５（図２参照）を支持する支持部３３が設けられる。中間ステージ３０の第１側辺部３０Ｒには、コイル基板５１を取り付けるための取付部３２が形成される。中間ステージ３０の上面３０Ｕ及び下面３０Ｂにおいて、第１側辺部３０Ｒの近傍には縦方向ガイド軸４１が挿通する穴３６が形成され、第２側辺部３０Ｌの近傍には縦方向ガイド軸４２が挿通する穴３５が形成される。
【００１５】
ユニット親板４０は、デジタルカメラのレンズ鏡筒内に所定の取付機構により固定される。ユニット親板４０の略中央には矩形の開口部４０Ｐが形成される。ユニット親板４０の第１側辺部４０Ｒ近傍には縦方向駆動ユニット収容室５０が設けられる。第１側辺部４０Ｒと対向し、第１側辺部４０Ｒと平行に伸びる第２側辺部４０Ｌ近傍には、横方向駆動ユニット収容室６０が設けられる。ＣＣＤ１０（図１、２参照）を縦方向Ｙに沿って移動させるための縦方向駆動ユニット５０Ｕ及び横方向Ｘに沿って移動させるための横方向駆動ユニット６０Ｕは、それぞれ収容室５０、６０に設けられる。
【００１６】
縦方向駆動ユニット５０Ｕは、コイル基板５１、永久磁石５２、ヨーク５３、ヨーク５４で構成されるリニアアクチュエータである。コイル基板５１は多層プリント基板であり、コイル基板５１の平面に沿って導線が巻き回された縦方向扁平コイル５５が形成されている。横方向駆動ユニット６０Ｕは、コイル基板６１、永久磁石６２、ヨーク６３、ヨーク６４で構成されるリニアアクチュエータである。尚、コイル基板６１及びヨーク６４は図１に示される。コイル基板６１は、コイル基板５１と同様の構成を有し、扁平コイル（図示せず）が形成されている。
【００１７】
図１に示されるように、レンズユニット２において、レンズ１００はレンズホルダ１０１に支持される。レンズホルダ１０１は２本のレンズガイド軸１１０、１１１により支持される。レンズガイド軸１１０はユニット親板４０の上縁近傍に形成された受穴４３に嵌合し、レンズガイド軸１１１はユニット親板４０の下縁近傍に形成された受穴４４に嵌合する。レンズホルダ１０１は、撮影時のズーミング処理、電源オフ時のレンズ収納、及び電源オン時の繰出し処理等において、所定のレンズホルダ駆動機構（図示せず）により、レンズガイド軸１１０、１１１に案内されながら光軸ＯＰに沿って駆動される。
【００１８】
図２を参照しながら、ＣＣＤユニット３について説明する。ＣＣＤ固定板１１に固定されたＣＣＤ１０及びローパスフィルタ１３は、ＣＣＤホルダ２０の開口部２０Ｐを貫通し枠２１内に入れ子状に配設される。この状態で、一対の止めネジ１４はＣＣＤ固定板１１の第１の側辺部１１Ｒを挿通し、ＣＣＤホルダ２０のネジ穴２２にそれぞれ螺合する。ＣＣＤ１０、ローパスフィルタ１３、ＣＣＤ固定板１１、及びＣＣＤホルダ２０によりＣＣＤユニット３が構成される。
【００１９】
ＣＣＤホルダ２０と中間ステージ３０は、ＣＣＤホルダ２０の一対の支持部２４の間に中間ステージ３０の一対の支持部３１が位置決めされ、ＣＣＤホルダ２０の一対の支持部２６の間に中間ステージ３０の支持部３３が位置決めされ、ＣＣＤホルダ２０の枠２１が中間ステージ３０の開口部３０Ｐ内に位置し、開口部３０Ｐに支持される態様で組み合わされる。横方向ガイド軸２３は、一対の支持部２４の穴及び一対の支持部３１の穴を挿通するよう配設される。一対の支持部３１の穴に対して横方向ガイド軸２３は長手方向に沿って摺動可能であり、一対の支持部２４の穴に対して、横方向ガイド軸２３は固定的に嵌合する。従って、ＣＣＤユニット３は横方向ガイド軸２３により横方向Ｘに移動可能に支持される。
【００２０】
図３に示されるように、縦方向駆動ユニット収容室５０には永久磁石５２とヨーク５３が配設される。永久磁石５２及びヨーク５３は矩形の薄板状を呈する。ヨーク５３は収容室５０の内周面に対向し、永久磁石５２は収容室５０の内側に位置し、それぞれ長手方向が光軸ＯＰと平行となるよう配置される。
【００２１】
横方向駆動ユニット収容室６０には永久磁石６２とヨーク６３が配設される。永久磁石６２及びヨーク６３は永久磁石５２及びヨーク５３と同様、矩形の薄板状を呈する。ヨーク６３は収容室６０の内周面に対向し、永久磁石６２は収容室６０の内側に位置し、それぞれ長手方向が光軸ＯＰと直交するよう配置される。換言すると、永久磁石６２及びヨーク６３の平面は光軸ＯＰに対して垂直である。
【００２２】
図３を参照しながら、ＣＣＤユニット３と中間ステージ３０とユニット親板４０との相対的関係について説明する。ＣＣＤユニット３、中間ステージ３０、及びユニット親板４０は、ＣＣＤホルダ２０の枠２１が中間ステージ３０の開口部３０Ｐ内に位置し、かつユニット親板４０の開口部４０Ｐ内に位置し、中間ステージ３０の取付部３２が縦方向駆動ユニット収容室５０の上面５０Ｃに位置するよう、組み合わされる。
【００２３】
この状態で縦方向ガイド軸４２は、ユニット親板４０の第２側辺部４０Ｌ近傍において上辺部４０Ｕ、下辺部４０Ｂにそれぞれ設けられた穴４５、及び中間ステージ３０の第２側辺部３０Ｌ近傍において上辺部３０Ｕ、下辺部３０Ｂにそれぞれ設けられたの穴３５を挿通するよう配設される。縦方向ガイド軸４２は、中間ステージ３０の穴３５に対して軸方向に摺動可能であり、ユニット親板４０の穴４５に固定的に嵌合する。同様に縦方向ガイド軸４１は、ユニット親板４０の第１側辺部４０Ｒ近傍における上辺部４０Ｕの穴４６、下辺部４０Ｂの穴（図示せず）に固定的に嵌合し、中間ステージ３０の第１側辺部３０Ｒ近傍における上辺部３０Ｕの穴３６、下辺部３０Ｂの穴（図示せず）を摺動可能に挿通する。
【００２４】
中間ステージ３０がユニット親板４０に上述のように組み合わされた状態で、取付部３２にコイル基板５１が固定される。コイル基板５１は、縦方向扁平コイル５５が形成された部分が永久磁石５２に対向するよう取り付けられる。そして、収容室５０の開口を覆うようにヨーク５４が取り付けられる。すなわち、ヨーク５４は、コイル基板５１において永久磁石５２と対向する面の裏面に対向するよう配設される。
【００２５】
図４に示すように、コイル基板６１は止めネジ６７によりＣＣＤ固定板１１と共にＣＣＤホルダ２０に固定される。従って、中間ステージ３０がユニット親板４０に組み合わされた状態において、コイル基板６１は永久磁石６２に対向するよう位置づけられる。ヨーク６４（図１参照）は、収容室６０の開口部を覆うよう取り付けられる。これによりヨーク６４はコイル基板６１に対向するよう位置決めされる。
【００２６】
以上の構成により、縦方向駆動ユニット５０Ｕ及び横方向駆動ユニット６０Ｕの駆動力が中間ステージ３０を介してＣＣＤユニット３に伝達される。
【００２７】
さらに、ＣＣＤ固定板１１は止めネジ６７によりＣＣＤホルダ２０に固定される。これにより、単一の部材（止めネジ６７）により、コイル基板６１の取付け、及びＣＣＤユニット３の組立てが行われる。また、上述のように、一対の止めネジ１４はＣＣＤ固定板１１の第１の側辺部１１Ｒを挿通し、ＣＣＤホルダ２０のネジ穴２２に螺合する。すなわち、ＣＣＤ固定板１１は、一対の止めネジ１４及び止めネジ６７によりＣＣＤホルダ２０に固定される。そして、一対の止めネジ１４及び止めネジ６７が位置するのは、ＣＣＤ１０において端子ピンが配設されていない縦方向Ｙに沿った辺の近傍である。換言すると、ＣＣＤ１０において端子ピンが配設されない辺の近傍に、ＣＣＤ固定板１１をＣＣＤホルダ２０に固定するための要素（側辺部１１Ｒ、１１Ｌ、一対の止めネジ１４、止めネジ６７）が設けられる。従って、ＣＣＤ１０の周囲のスペースが有効に利用され、小型化が図られる。
【００２８】
図５は、組立てられた像ぶれ補正ユニット１をレンズユニット２の側から示す正面図であり、図６は図５の線ＶＩ−ＶＩ矢視断面を拡大して示す図である。図５及び図６に示されるように、縦方向駆動ユニット５０Ｕと横方向駆動ユニット６０Ｕは全体として、光軸ＯＰを挟んで対向している。また、縦方向駆動ユニット５０Ｕのコイル基板５１は光軸ＯＰと平行であり、横方向駆動ユニット６０Ｕのコイル基板は光軸ＯＰに対して垂直である。上述のように、ＣＣＤ固定板１１、ＣＣＤホルダ２０、コイル基板６１が止めネジ６７により固定されている。さらに、縦方向駆動ユニット５０Ｕの長手方向は、横方向駆動ユニット６０Ｕの上述の各構成要素の平面に対し直交し、横方向駆動ユニット６０Ｕの長手方向は、縦方向駆動ユニット５０Ｕの上述の各構成要素の平面に対し直交する。
【００２９】
図６に示されるように、縦方向駆動ユニット５０Ｕにおいて、収容室５０の内周面に対向するよう配置されたヨーク５３と永久磁石５２は磁力により固着する。一対のヨーク５３、５４は永久磁石５２を介して互いに引き合いながら、ヨーク５３はその長手方向の両端部５３Ａが収容室５０の内周面に形成された一対の壁状突起５８に係合し、ヨーク５４はその長手方向の両端部に形成された突片５４Ａが収容室５０の切り欠き部５０Ｂ（図３参照）に係合する。従って、一対のヨーク５３、５４は収容室５０に固定される。そして、ヨーク５４と永久磁石５２との間の間隙を移動可能にコイル基板５１が位置づけられる。
【００３０】
コイル基板５１の縦方向扁平コイル５５に電流を流すと、電磁力によりコイル基板５１が縦方向Ｙに沿って変位する。換言すると、永久磁石５２は、上述のように構成された縦方向駆動ユニット５０Ｕにおいて、縦方向扁平コイル５５に電流を流すと縦方向Ｙに電磁推進力が発生するよう、着磁されている。コイル基板５１は上述のように中間ステージ３０の取付部３２に固定され、ＣＣＤユニット３のＣＣＤホルダ２０の枠２１は中間ステージ３０の開口部３０Ｐに支持されている。従って、縦方向扁平コイル５５に流す電流の向きを適宜制御することにより、中間ステージ３０、ＣＣＤホルダ２０を介してＣＣＤ１０が縦方向Ｙに沿って上方向若しくは下方向に駆動される。
【００３１】
横方向駆動ユニット６０Ｕにおいて、収容室６０の内周面に対向するよう配置されるヨーク６３と永久磁石６２は磁力により固着する。一対のヨーク６３、６４は永久磁石６２を介して引き合いながら、縦方向駆動ユニット５０Ｕと同様の態様でそれぞれ収納室６０に係合する。すなわち、一対のヨーク６３、６４は収容室６０に固定され、永久磁石６２とヨーク６４の間の間隙を移動可能にコイル基板６１が位置づけられる。
【００３２】
コイル基板６１の横方向扁平コイル６５（図４参照）に電流を流すと、電磁力によりコイル基板６１が横方向Ｘに沿って変位する。換言すると、永久磁石６２は、上述のように構成された横方向駆動ユニット６０Ｕにおいて、横方向扁平コイル６５に電流を流すと横方向Ｘに電磁推進力が発生するよう着磁されている。コイル基板６１は止めネジ６７によりＣＣＤ固定板１１と共にＣＣＤホルダ２０に固定されている。従って、横方向扁平コイル６５に流す電流の向きを適宜制御することにより、ＣＣＤ固定板１１を介してＣＣＤユニット３は横方向Ｘに沿って左方向若しくは右方向に駆動される。すなわち、ＣＣＤ１０が左右方向に駆動される。
【００３３】
図５に示されるように、ユニット親板４０の開口部４０Ｐの縦方向Ｙの長さｖ１は、中間ステージ３０の縦方向Ｙの長さｖ２よりも長い。従って、像ぶれ補正ユニット１が組立てられ、中間ステージ３０が開口部４０Ｐ内に位置した状態で、中間ステージ３０と開口部４０Ｐの内周面との間には所定の間隙が形成される。縦方向駆動ユニット５０ＵによるＣＣＤ１０の縦方向Ｙの駆動範囲は、この間隙により定められる。
【００３４】
横方向ガイド軸２３を固定的に支持する支持部２４の間の寸法ｈ１は、ガイド軸２３を摺動可能に支持する支持部３１の間の寸法ｈ２より長く、所定の間隙が形成される。横方向ガイド軸２５を摺動可能に支持する支持部３３は、ガイド軸２５を固定的に支持する一対の支持部２６の間に位置し、支持部２６と支持部３３の間には所定の間隔が形成される。また、中間ステージ３０の開口部３０Ｐの横方向Ｘの長さｈ３は、枠２１の横方向Ｘの長さｈ４より長く、開口部３０Ｐと枠２１の間には横方向Ｘに沿って所定の間隙が形成される。横方向駆動ユニット６０ＵによるＣＣＤ１０の横方向Ｘの駆動範囲は、これらの間隙により定められる。
【００３５】
コイル基板６１には横方向検出用ホール素子６６（図１参照）が配設され、コイル基板５１には縦方向検出用ホール素子５６（図６参照）が配設される。磁界の変化に応じて変化するホール素子５６、６６の抵抗値をモニタすることにより、ＣＣＤ１０の横方向Ｙ及び縦方向Ｘにおける位置が検出される。本実施形態では、デジタルカメラ内に設けられたジャイロセンサ（図示せず）により検出されるデジタルカメラのぶれ量とホール素子５６、６６を介して演算されるＣＣＤ１０の位置に基づいて、当該ぶれ量を相殺すべくＣＣＤ１０の移動目標位置が演算される。そして、ＣＣＤ１０を移動目標位置が駆動されるよう、縦方向扁平コイル５５、横方向扁平コイル６５に流す電流の量及び向きが演算される。
【００３６】
上述のように、枠２１は中間ステージ３０の開口部３０Ｐを挿通し、縦方向ガイド軸４１、４２は、開口部３０Ｐの側縁部の近傍に設けられた穴３５、３６を挿通する。従って、図６に示すように、像ぶれ補正ユニット１を組み立てた状態において、縦方向ガイド軸４１、４２は、枠２１の側辺部の近傍に位置する。そして、光軸ＯＰ方向（図５に示される方向）から見たとき、ＣＣＤ固定板１１の側辺部１１Ｒ、１１Ｌ（図６参照）と重なり合う位置に配置されている。換言すると、光軸ＯＰ方向から見たとき、縦方向ガイド軸４１、４２は、ＣＣＤ固定板１１の側辺部１１Ｒ、１１Ｌの外縁部と枠２１の外周面との間に配置される。
【００３７】
さらに、縦方向ガイド軸４１、４２は、枠２１の側辺部の外周面に対向するよう配置される。そして、中間ステージ３０の光軸ＯＰに沿った厚みは、枠２１の光軸ＯＰに沿った厚みｔ１と略同じか、ｔ１（図２参照）よりも短く、かつ縦方向ガイド軸４１、４２の直径も、枠２１の光軸ＯＰに沿った厚みｔ１よりも短い。従って、縦方向ガイド軸４１、４２は、光軸ＯＰに直交する横方向Ｘから見たとき、枠２１に重なり合っている。
【００３８】
図７は、組立てられた像ぶれ補正ユニット１をレンズユニット２と共に示す拡大斜視図である。ＣＣＤホルダ２０の枠２１において、第２側辺部２１Ｌと下辺部２１Ｂが交差する角部近傍には、係合ピン２７が設けられる。係合ピン２７はその軸心が光軸ＯＰと平行となるよう形成される。レンズユニット２のレンズホルダ１０１において、像ぶれ補正ユニット１と対向する面において、係合ピン２７に対応する位置に被係合柱１１２が設けられる。被係合柱１１２はその軸心が光軸ＯＰと平行となるよう設けられる。被係合柱１１２には、係合ピン２７が嵌合可能な受穴１１３が形成されている。また、ユニット親板４０の下辺部４０Ｂにはセンサ取付部４５が設けられる。センサ取付部４５には例えばフォトインタラプタが取り付けられる。
【００３９】
受穴１１３に係合ピン２７が嵌合するときのレンズホルダ１０１の位置を本明細書では「収納位置」という。レンズホルダ１０１が収納位置にあるときのレンズ１００は、撮影時のズーミング処理におけるレンズ１００の駆動可能範囲の範囲外に位置する。レンズホルダ１０１の収納位置への移動は、撮影時のズーミング処理においてレンズホルダ１０１を光軸ＯＰに沿って駆動するための駆動機構により行われる。
【００４０】
像ぶれ補正ユニット１が搭載されるデジタルカメラの電源オフ時、レンズホルダ１０１は受穴１１３に係合ピン２７が嵌合する収納位置まで移動される。レンズホルダ１０１が収納位置まで移動したことはセンサ取付部４５のフォトインタラプタにより検出される。電源オフ時、レンズホルダ１０１が収納位置に位置決めされる結果、電力が供給されない状態においても、像ぶれ補正ユニット１のＣＣＤホルダ２０はレンズホルダ１０１に固定される。
【００４１】
以上のように、本実施形態によれば、縦方向ガイド軸４１、４２は、光軸ＯＰの方向から見たとき、ＣＣＤ固定板１１と重なり合い、光軸ＯＰに直交する横方向から見たとき、枠２１と重なり合っている。すなわち、ＣＣＤ１０において端子ピンが配設されない辺の近傍に、上述のＣＣＤ固定板１１をＣＣＤホルダ２０に固定するための要素、及び縦方向ガイド軸４１、４２が配置される。従って、ＣＣＤ１０周辺のスペースが節約されており、デジタルカメラ全体の小型化が図られる。
【００４２】
尚、本実施形態では、ＣＣＤ１０を駆動するタイプの像ぶれ補正機構を例にとって説明したが、これに限るものではない。撮影光学系の一部を構成するよう設けられる補正光学系を駆動する像ぶれ補正機構にも適用可能である。
【００４３】
また、本実施形態では電磁力を利用したリニアアクチュエータを例にとって説明したがこれに限るものではない。例えば、ステッピングモータを備えたアクチュエータを用いてもよい。尚、ステッピングモータを用いる場合、ＣＣＤ１０の位置検出には例えばＰＳＤ（Position Sensitive Device）が用いられる。
【図面の簡単な説明】
【００４４】
【図１】本発明に係る実施形態が適用される像ぶれ補正ユニットをレンズユニットと共に示す分解斜視図である。
【図２】ＣＣＤユニットと中間ステージの近傍を拡大して示す分解斜視図である。
【図３】中間ステージとユニット親板の近傍を拡大して示す分解斜視図である。
【図４】ＣＣＤユニットと横方向駆動ユニットのコイル基板の相対的位置関係を示す図である。
【図５】像ぶれ補正ユニットの正面図である。
【図６】図５の線ＶＩ−ＶＩ矢視断面を拡大して示す図である。
【図７】組立てられた像ぶれ補正ユニットをレンズユニットと共に示す拡大斜視図である。
【符号の説明】
【００４５】
１  像ぶれ補正ユニット
２  レンズユニット
３  ＣＣＤユニット
１０  ＣＣＤ
１１  ＣＣＤ固定板
１３  ローパスフィルタ
２０  ＣＣＤホルダ
２１  枠
２３、２５  横方向ガイド軸
３０  中間ステージ
４０  ユニット親板
４１、４２  縦方向ガイド軸
１００  レンズ
１０１  レンズホルダ
１１０、１１１  レンズガイド軸
【図１】
2006098501.tif 000003
【図２】
2006098501.tif 000004
【図３】
2006098501.tif 000005
【図４】
2006098501.tif 000006
【図５】
2006098501.tif 000007
【図６】
2006098501.tif 000008
【図７】
2006098501.tif 000009